(57)【要約】【課題】光変調手段を構成する光変調素子の小型軽量化、省スペース化、及び製作の容易化による製作コストの軽減が可能な投射型映像表示装置を提供すること。【解決手段】本発明に係る投射型映像表示装置は、色光分離光学系において分離された各色光束を、複数の光変調手段により変調するものであって、複数の光変調手段の内の少なくとも一つの光変調手段を構成する光変調素子、例えばＹｅ変調素子３４が、液晶セル５１と、この液晶セル５１を両面から挟持するように組み合わされる入射側保持枠５２と出射側保持枠５３とからなる。また、入射側保持枠５２及び出射側保持枠５３は、液晶セル５１の外周端面を支持する折り曲げ支持片５４，５５を備えた板金製であって、外周周辺部において液晶セル５１に接着されている。【選択図】図８
2010049103.tif 000002
【特許請求の範囲】
【請求項１】
光源及び偏光変換素子を備えた照明光学系と、この照明光学系から射出される光束を複数の色光束に分離する色光分離光学系と、複数の光変調手段により各色光束を映像情報に従って変調するとともに、変調された各色光束を合成する色光合成光学系と、これら光学系部材を収納するライトガイドを備えた投射型映像表示装置において、
前記色光合成光学系に含まれる複数の光変調手段の内の少なくとも一つの光変調手段を構成する光変調素子は、複数枚のガラス基板間に液晶を封入した液晶セルと、この液晶セルを両面から挟持するように組み合わされる入射側保持枠と出射側保持枠とからなり、
これら入射側保持枠及び出射側保持枠は、この液晶セルの外周端面を支持する折り曲げ支持片を備えた板金製であって、外周周辺部において液晶セルに接着されている
ことを特徴とする投射型映像表示装置。
【請求項２】
前記複数の光変調手段は、赤色光用液晶ライトバルブ、緑色光用液晶ライトバルブ、青色光用液晶ライトバルブ、及び、緑色光用液晶ライトバルブの入射側において、緑色光に重畳する黄色光を変調する光変調素子からなるＹｅ変調素子であり、
前記一つの変調手段は、前記緑色光用液晶ライトバルブの入射側に配置された黄色光を変調するＹｅ変調素子であることを特徴とする請求項１記載の投射型映像表示装置。
【請求項３】
前記光変調素子は、光軸方向から見て四辺形に形成されるとともに、四辺の内の一辺から配線基板が突出するように形成されており、
前記ライトガイドは、前記光変調素子における配線基板が突出する辺に直交する２辺を支持する一対の支持枠部と、この一対の支持枠部の端部それぞれに形成された、光変調素子の隅部を支持するための受け溝部とを有し、
さらに、前記光変調素子は、配線基板が突出する辺を押し付ける押さえ部材により、弾力性のあるクッション材を介し前記受け溝部内へ押し付けられて取り付けられている
ことを特徴とする請求項１又は２記載の投射型映像表示装置。
【請求項４】
前記入射側保持枠は、板金加工により側方に突出する冷却片が一体的に形成されていることを特徴とする請求項３記載の投射型映像表示装置。
【請求項５】
前記入射側保持枠は、前記冷却片が複数の辺に形成されていることを特徴とする請求項４記載の投射型映像表示装置。
【請求項６】
前記入射側保持枠又は出射側保持枠は、この光変調素子の取付時の入射側と出射側とを規制するための規制突起片を有し、前記支持枠部には、光変調素子が正常方向に取り付けられた場合に前記規制突起片と係合する係合溝が形成されていることを特徴とする請求項３〜５の何れか１項に記載の投射型映像表示装置。
【発明の詳細な説明】
【技術分野】
【０００１】
本発明は、光源から射出された光束を映像情報に応じて光変調して映像を形成し、拡大投射するプロジェクタに関し、特に、光変調素子の保持枠の構造に関する。
【背景技術】
【０００２】
プロジェクタは、従来から、会議、学会、展示会などのプレゼンテーション等に使用されており、近年ではホームシアターにも利用されている。このようなプロジェクタとして、光源ランプから射出された光束を、ダイクロイックミラーを用いて複数の色光束に分離する色光分離光学系と、各色光束を映像情報に従って変調する複数の光変調手段と、変調された各色光束を合成する色光合成光学系と、これら光学系部材を収納するライトガイドを備えた投射型映像表示装置が知られている。
【０００３】
このようなプロジェクタは、容易に持ち運べてさまざまな機会に使用できるように、より軽量、コンパクトな製品が求められている。このため光変調手段の小型化、省スペース化が進められている。一方、プロジェクタは、明るい場所でも鮮明な投射映像が得られるように光源の高輝度化が進められている。このため高輝度化された光源からの光束が光変調素子に集中し、熱負荷が大きくなってきている。
【０００４】
ところで従来の光変調素子の保持枠は、このような熱負荷に対応するため一般的に金属モールド性の保持枠が用いられていた。これを記載した特許文献として例えば特許文献１や特許文献２がある。
【特許文献１】特開２００４−２５８６２１号公報
【特許文献２】特開２００７−２９８６１５号公報
【発明の開示】
【発明が解決しようとする課題】
【０００５】
しかしながら、従来の光変調素子の保持枠は、金属モールド性であるため保持具の形状が大きく光変調素子の周辺領域が大きくなりやすいという課題があった。また、製作コストが高く成るという課題もあった。
【０００６】
本発明は、このような背景の下に成されたものであって、光変調手段を構成する光変調素子の小型化、省スペース化及び製作の容易化による製作コストの軽減が可能な投射型映像表示装置を提供することを目的とする。
【課題を解決するための手段】
【０００７】
本発明に係る投射型映像表示装置は、光源及び偏光変換素子を備えた照明光学系と、この照明光学系から射出される光束を複数の色光束に分離する色光分離光学系と、複数の光変調手段により各色光束を映像情報に従って変調するとともに、変調された各色光束を合成する色光合成光学系と、これら光学系部材を収納するライトガイドを備えた投射型映像表示装置において、前記色光合成光学系に含まれる複数の光変調手段の内の少なくとも一つの光変調手段を構成する光変調素子は、複数枚のガラス基板間に液晶を封入した液晶セルと、この液晶セルを両面から挟持するように組み合わされる入射側保持枠と出射側保持枠とからなり、これら入射側保持枠及び出射側保持枠は、この液晶セルの外周端面を支持する折り曲げ支持片を備えた板金製であって、外周周辺部において液晶セルに接着されていることを特徴とする。
【０００８】
このように構成すると、保持枠が板金製であるため、保持枠を薄板加工品とすることにより小型軽量化及び省スペース化するとともに、保持枠の放熱性能を良好とすることができる。また、保持枠は、液晶セルを両面から挟持するように組み合わされる入射側保持枠と出射側保持枠とからなり、これら保持枠が外周周辺部において液晶セルに接着されるので、液晶セルの基板を介し強固に形成されるとともに、板金加工が容易となりコスト軽減を図ることができる。
【０００９】
また、前記複数の光変調手段は、赤色光用液晶ライトバルブ、緑色光用液晶ライトバルブ、青色光用液晶ライトバルブ、及び、緑色光用液晶ライトバルブの入射側において、緑色光に重畳する黄色光を変調する光変調素子からなるＹｅ変調素子であり、前記一つの変調手段は、前記緑色光用液晶ライトバルブの入射側に配置された黄色光を変調するＹｅ変調素子であることを特徴とする。
【００１０】
一般的に、光変調素子として液晶パネルを用いた投射型映像表示装置としては赤色光用液晶ライトバルブ、緑色光用液晶ライトバルブ、及び青色光用液晶ライトバルブを用いた３板式が多用されているが、近年は、黄色光付近の色を利用することにより映像の明るさを適切に確保する要望がある。上記のように構成した発明は、このような要望に応えるものである。すなわち、この発明は、従来の３板式投射型映像表示装置をベースに考えたものであって、緑色光用液晶ライトバルブの入射側に黄色光を変調する光変調素子からなるＹｅ変調素子を付加したものである。また、従来の３板式投射型映像表示装置に対し黄色光を変調するＹｅ変調素子を付加するために、黄色光を変調するＹｅ変調素子については小型化が必要とされており、本発明はこのような要望を満たすことができる。
【００１１】
また、前記光変調素子は、光軸方向から見て四辺形に形成されるとともに、四辺の内の一辺から配線基板が突出するように形成されており、前記ライトガイドは、前記光変調素子における配線基板が突出する辺に直交する２辺を支持する一対の支持枠部と、この一対の支持枠部の端部それぞれに形成された、光変調素子の隅部を支持するための受け溝部とを有し、さらに、前記光変調素子は、配線基板が突出する辺を押し付ける押さえ部材により、弾力性のあるクッション材を介し前記受け溝部内へ押し付けられて取り付けられているようにしてもよい。このように構成すると、保持枠の広い範囲が直接冷却空気の通路中に露出される状態となるので保持枠による熱交換作用が良好になる。
【００１２】
また、前記入射側保持枠は、板金加工により側方に突出する冷却片が一体的に形成されていることが好ましい。このように構成することにより冷却空気と熱交換する面積が増大されるので、保持枠による冷却効果が向上する。また、このような冷却片が出射側保持枠でなく入射側保持枠に設けられているので、その冷却効果が良好になる。また、このような冷却片は板金加工により一体的に形成されているので製作コストが軽減される。
【００１３】
また、前記入射側保持枠は、前記冷却片が複数の辺に形成されているように構成してもよい。このように構成すると、保持枠による冷却効果をより向上させることができる。
また、前記入射側保持枠又は出射側保持枠は、この光変調素子の取付時の入射側と出射側とを規制するための規制突起片を有し、前記支持枠部には、光変調素子が正常方向に取り付けられた場合に前記規制突起片と係合する係合溝が形成されていることが好ましい。このように構成すると、前記光変調素子が入射側と出射側とを間違えずに取り付けられるので、この光変調素子を正常に作用させることができるとともに、冷却効果も正常に奏することができる。
【発明の効果】
【００１４】
本発明に係る投射型映像表示装置によれば、光変調手段を構成する光変調素子の保持枠を板金製としているので、光変調素子を小型軽量化及び省スペース化するとともに保持枠の放熱性能を良好とすることができる。また光変調素子の保持枠を入射側保持枠と出射側保持枠とから形成し、液晶セルを挟んで接着する構成としているので、強固な保持枠を形成することができるとともに、保持枠の加工が容易となりコスト軽減を図ることができる。
【発明を実施するための最良の形態】
【００１５】
以下、本発明の実施の形態に係る投射型映像表示装置について説明する。
図１は、本発明の実施の形態に係る投射型映像表示装置のアッパーケースを外すとともに上ライトガイドを外した平面図である。この投射型映像表示装置は、この図に示されているように、直方体の外装ケース１の内部に光学ユニットと、光学ユニット内に冷風を供給する冷却ファン３，４，５等が配設されている。また、光学ユニットを構成する機器は、ライトガイド６内に設けられている。なお、この図には、投射型映像表示装置を制御する制御回路、ランプを駆動する駆動回路等が省略されている。
【００１６】
光学ユニットは、図２の模式図に示すように、光源及び偏光変換素子を備えた照明光学系１０と、この照明光学系１０から射出される光束を複数の色光束に分離する色光分離光学系２０と、各色光束を映像情報に従って変調するとともに、変調された各色光束を合成する色光合成光学系３０と、合成された映像光を投射する投射レンズ光学系４０とを有する。
【００１７】
照明光学系１０は、略平行な光束を出射する光源１１と、インテグレータレンズ１２と、入射光を所定の直線偏光光成分に変換する偏光変換素子１３と、コンデンサレンズ１４，１５、全反射ミラー１６とを備えている。照明光学系１０は、被照明領域である４個の光変調手段である赤色光用液晶ライトバルブ３１、緑色光用液晶ライトバルブ３２、青色光用液晶ライトバルブ３３、及び、Ｙｅ変調素子３４を照明するための光学系である。
【００１８】
光源１１は、放射状の光線を出射する放射光源としての光源ランプと、光源ランプから出射された放射光を略平行な光束として出射する凹面鏡とを有している。凹面鏡としては、放物面鏡が用いられている。光源ランプとしては、白色光を発するハロゲンランプ、メタルハライドランプなどが使われている。
【００１９】
インテグレータレンズ１２は、第１のレンズアレイ１２ａと第２のレンズアレイ１２ｂとから構成されている。第１のレンズアレイ１２ａ及び第２のレンズアレイ１２ｂは、略矩形状の輪郭を有する小レンズがマトリクス状に配列された構成を有している。
【００２０】
インテグレータレンズ１２から出射された部分光束は、偏光変換素子１３で１種類の偏光光に変換されてコンデンサレンズ１４に入射し、全反射ミラー１６で反射されて、さらに、コンデンサレンズ１５を介して色光分離光学系のダイクロイックミラー２１に出射される。
【００２１】
色光分離光学系２０は、ダイクロイックミラー２１，２２、全反射ミラー２３，２４ａ，２４ｂ、リレーレンズ２５ａ，２５ｂ、コンデンサレンズ２６，２７，２８などから構成される。
【００２２】
また、色光合成光学系３０は、第１〜第３の変調手段である、赤色光成分を変調する赤色光用液晶ライトバルブ３１、緑色光成分を変調する緑色光用液晶ライトバルブ３２、及び青色光成分を変調する青色光用液晶ライトバルブ３３と、第４の変調手段である黄色光成分を変調する光変調素子からなるＹｅ変調素子３４と、クロスダイクロイックプリズム３５とから構成される。
【００２３】
２枚のダイクロイックミラー２１，２２は、コンデンサレンズ１５を通過した白色光を、赤色光と、黄色光が重畳された緑色光と、青色光とに分離する色光分離手段としての機能を有する。また、第１のダイクロイックミラー２１は、照明光学系から出射された白色光束の赤色光成分を透過させるとともに、緑色光成分、黄色光成分、及び青色光成分を反射させる。第１のダイクロイックミラー２１を透過した赤色光は、全反射ミラー２３で反射されて、コンデンサレンズ２６を介して第１の光変調手段である赤色光用液晶ライトバルブ３１に達する。
【００２４】
赤色光用液晶ライトバルブ３１は、赤色光を変調するものであって、無機偏光板３１ａ、入射偏光板３１ｂ、光学補償板３１ｃ、液晶セルなどを含む光変調素子３１ｄ、プリ偏光板３１ｅ、出射偏光板３１ｆからなる。無機偏光板３１ａは、赤色光用液晶ライトバルブ３１に達する光束が楕円偏光となっているので、これを一定方向の直線偏光に偏光するものである。入射偏光板３１ｂは、一定方向の偏光光のみを通過させるものであり、この入射偏光板３１ｂと対を成す出射偏光板３１ｆとの協働作用により、光変調素子３１ｄにおいて変調された一定方向の偏光のみを通過させるように作用する。また、光学補償板３１ｃは、光変調素子３１ｄにおける複屈折を補償するものである。光変調素子３１ｄは、入射する赤色光を映像信号に基づいて変調するものである。プリ偏光板３１ｅは光量を減少させることにより、出射偏光板３１ｆの負担を軽減するものである。
【００２５】
なお、緑色光用液晶ライトバルブ３２及び青色光用液晶ライトバルブ３３は、光変調する色光が相違するが、その構成は基本的に赤色光用液晶ライトバルブ３１と同一である。すなわち、緑色光用液晶ライトバルブ３２及び青色光用液晶ライトバルブ３３における無機偏光板３２ａ，３３ａ、入射偏光板３２ｂ，３３ｂ、光学補償板３２ｃ，３３ｃ、光変調素子３２ｄ，３３ｄ、プリ偏光板３２ｅ，３３ｅ、出射偏光板３２ｆ，３３ｆは、赤色光用液晶ライトバルブ３１における無機偏光板３１ａ、入射偏光板３１ｂ、光学補償板３１ｃ、光変調素子３１ｄ、プリ偏光板３１ｅ、出射偏光板３１ｆの構成に対応する。
【００２６】
第１のダイクロイックミラー２１で反射された緑色光成分、黄色光成分、及び青色光成分のうち、緑色光成分及び黄色光成分は第２のダイクロイックミラー２２で反射されて、コンデンサレンズ２７を介して第４の光変調手段である黄色光を変調するＹｅ変調素子３４に入射される。
【００２７】
Ｙｅ変調素子３４は、入射する直線偏光を印加される電圧に応じて９０度回転させるか回転させないかを選択的に切り換えて出射する光変調素子でもよいし、印加される電圧に応じて０〜９０度の範囲で回転させて出射する光変調素子であってもよく、黄色光成分を映像信号に基づき変調する。このようなＹｅ変調素子３４は、複数のガラス基板の間に液晶等を封入した液晶セルを含む光変調素子であって、黄色光成分を映像信号に基づき変調して出射する。出射された黄色光は、出射側に配置されている第２の光変調手段を構成する緑色光用液晶ライトバルブ３２の入射偏光板３２ｂの透過軸と一致する光成分のみが緑色光用液晶ライトバルブ３２に入射される。これにより、Ｙｅ変調素子３４を通過して緑色光用液晶ライトバルブ３２に入射される黄色光成分の光量が制御される。なお、緑色光成分は、この緑色光用液晶ライトバルブ３２においては、そのまま通過する。
【００２８】
Ｙｅ変調素子３４を通過した黄色光成分及び緑色光成分は、第２の変調手段である緑色光用液晶ライトバルブ３２に入射される。緑色光用液晶ライトバルブ３２に入射された緑色光成分は、光変調素子３２ｄにおいて映像信号に基づき変調されて、クロスダイクロイックプリズム３５に出射される。また、緑色光用液晶ライトバルブ３２に入射された黄色光成分は、この変調された緑色光成分に重畳されてクロスダイクロイックプリズム３５に出射される。なお、緑色光用液晶ライトバルブ３２における無機偏光板３２ａ、入射偏光板３２ｂ、光学補償板３２ｃ、プリ偏光板３２ｅ、及び出射偏光板３２ｆは、前述の赤色光用液晶ライトバルブ３１における無機偏光板３１ａ、入射偏光板３１ｂ、光学補償板３１ｃ、プリ偏光板３１ｅ及び出射偏光板３１ｆと同様に作用する。
【００２９】
また、第１のダイクロイックミラー２１で反射された青色光成分は、第２のダイクロイックミラー２２、２個のリレーレンズ２５ａ，２５ｂ、全反射ミラー２４ａ，２４ｂ及びコンデンサレンズ２８を介して第３の光変調手段である青色光用液晶ライトバルブ３３に入射される。青色光用液晶ライトバルブ３３に入射された青色光成分は、光変調素子３３ｄにおいて映像信号に基づき変調されて、クロスダイクロイックプリズム３５に出射される。なお、青色光用液晶ライトバルブ３３における無機偏光板３３ａ、入射偏光板３３ｂ、光学補償板３３ｃ、プリ偏光板３３ｅ、及び出射偏光板３３ｆは、前述のように赤色光用液晶ライトバルブ３１における無機偏光板３１ａ、入射偏光板３１ｂ、光学補償板３１ｃ、プリ偏光板３１ｅ及び出射偏光板３１ｆと同様に作用する。
【００３０】
クロスダイクロイックプリズム３５は、赤色光用液晶ライトバルブ３１、緑色光用液晶ライトバルブ３２、青色光用液晶ライトバルブ３３で変調された３色の色光を合成してカラー画像を形成する色合成手段としての機能を有する。このために、クロスダイクロイックプリズム３５には、赤色光用の反射膜３５ａと青色光用の反射膜３５ｂとがクロス状に形成されている。したがって、赤色光用液晶ライトバルブ３１で変調された赤色光は、赤色光用の反射膜３５ａで反射されて投射レンズ光学系４０の方向に出射される。また、青色光用液晶ライトバルブ３３で変調された青色光は、青色光用の反射膜３５ｂで反射されて投射レンズ光学系４０の方向に出射される。これに対し、緑色光用液晶ライトバルブ３２で変調された緑色光及びこの緑色光に重畳された黄色光は、赤色光用の反射膜３５ａと青色光用の反射膜３５ｂとをそのまま透過して投射レンズ光学系４０へ出射される。
【００３１】
このようにして色合成された光束は、投射レンズ光学系４０から投射されてスクリーンに投影される。この場合において、黄色光用成分が映像信号に基づき変調されて重畳されているため、投影される映像の輝度が向上する。
【００３２】
本実施の形態に係る投射型映像表示装置は、上記のように、従来一般的な３板式の投射型映像表示装置において、緑色光用液晶ライトバルブ３２の入射側に、黄色光成分を変調する第４の変調手段であるＹｅ変調素子３４を設けたものであるため、このＹｅ変調素子３４に許容されるスペースが狭くなりがちであり、小型化であることが必要とされる。また、狭いスペースに取り付けられるため放熱特性の良好であることが必要とされている。
【００３３】
次に、本発明の要部を成すＹｅ変調素子の全体構成について図８及び図９に基づき説明する。なお、図８は、Ｙｅ変調素子の説明図であって、（ａ）は斜視図であり、（ｂ）は分解斜視図である。また、図９は、Ｙｅ変調素子を構成する出射側保持枠の液晶セル側から見た斜視図である。
【００３４】
Ｙｅ変調素子３４は、複数枚のガラス基板間に液晶を封入した形成された略四辺形の液晶セル５１と、この液晶セル５１を両面から挟持するように組み合わされる入射側保持枠５２と出射側保持枠５３とからなる。入射側保持枠５２及び前記出射側保持枠５３は、アルミニウム系等の軽量金属製の板材を板金加工したものであって、中央部に四辺形の光透過用の穴５２ａ，５３ａが形成されるとともに、各四辺には液晶セル５１の四辺の端面を支持するための折り曲げ支持片５４，５５が形成されている。折り曲げ支持片５４，５５は、板金折り曲げ加工されるものであって、液晶セル５１の厚みの略半分の高さに形成されている。また、入射側保持枠５２及び前記出射側保持枠５３は、液晶セル５１を入射側と出射側とから挟持するように液晶セル５１に重ねられる。このとき液晶セル５１は、折り曲げ支持片５４，５５で周囲の端面が囲まれるようになる。また、このように重ね合わされた状態において、四辺形を成す外周周辺部における入射側保持枠５２と液晶セル５１との接合面、及び、出射側保持枠５３と液晶セル５１との接合面が熱伝導性の良好な接着剤により接着されている。
【００３５】
液晶セル５１は、一端面からフレキシブル配線基板５６が突出している。また、入射側保持枠５２には、配線基板５６が突出する辺において、かつ、配線基板５６の両側方において端面から突出する冷却片５７，５８がそれぞれ一体的に形成されている。また、出射側保持枠５３における冷却片５７，５８が突出する辺と直交する辺には、鉤形に曲がった規制突起片５９が一体的に形成されている。この規制突起片５９は、Ｙｅ変調素子３４が入射側と出射側との位置関係が間違いなくライトガイド６に対し取り付けられる場合に、ライトガイド６の右側の支持枠部６５（図５参照）に設けられた係合溝６８（図６参照）に係合するように構成されている。
【００３６】
次に、このように構成されたＹｅ変調素子３４を取り付けるライトガイド６側の取付構造について図１〜図８に基づいて説明する。なお、図３は、ライトガイドの斜視図であり、図４は、図３においてＹｅ変調素子を取り外した状態図であり、図５は、下ライトガイドの斜視図であり、図６は、Ｙｅ変調素子の取付部の水平断面図であり、図７は、図６におけるＡ−Ａ断面図である。
【００３７】
本実施の形態における光学ユニットは上述のように構成されている。また、光学ユニットを構成する各機器は、ライトガイド６に対し図１に示されるように配置されて取り付けられている。ライトガイド６は、図３及び図４の斜視図に示されるように、上面開放の容器状の下ライトガイド６１と、この下ライトガイド６１の上面を閉塞するように形成された平らな形状の上ライトガイド６２とから構成されている。ライトガイド６の構成を示す図３〜図５において、スペース１１Ｓ，１２Ｓ，２０Ｓ及び３５Ｓは、それぞれ前述の光源１１、インテグレータレンズ１２及びクロスダイクロイックプリズム３５が取り付けられるスペースを示す。また、図５において、スペース３５Ｓの周りを取り囲むスペース２０Ｓは、色光分離光学系２０を構成する機器の取付スペースを示す。
【００３８】
なお、本明細書においては、投射レンズ光学系４０が位置する側を前面とし、投射レンズ光学系４０を正面とするとともに、正面側から見た左右を左右方向とし、さらに、上ライトガイド側を上方向、下ライト側を下方向とする。
【００３９】
そして、第４の変調手段であるＹｅ変調素子３４は、図１に示すように第２の変調素子である緑色光用液晶ライトバルブ３２の入射側に取り付けられている。また、上ライトガイド６２は、図４に示すように、このＹｅ変調素子３４が取り付けられる部分は切込部６３に形成されている。このため、下ライトガイド６１におけるＹｅ変調素子３４の取付部は、上部開放の状態となっている。また、下ライトガイド６１におけるＹｅ変調素子３４の取付部として、切込部６３の左右周辺の下方位置に、Ｙｅ変調素子３４の配線基板５６が突出する辺に直交する２辺、すなわち左右２辺、の端面を支持する左右一対の支持枠部６４，６５が形成されている。
【００４０】
左右一対の支持枠部６４，６５は、図６に示すように、左右の間隔がＹｅ変調素子３４の左右方向の寸法より僅かに大きく形成されたものであり、前後方向の寸法がＹｅ変調素子３４の端面における前後方向の寸法より少し大きく、後方部に出っ張るように形成されている。また、この左右一対の支持枠部６４，６５の下端部には、図５及び図７に示すように、Ｙｅ変調素子３４の下端隅部を所定位置に支持するための正面視略三角形状の受け溝部６６，６７が形成されている。この受け溝部６６，６７は、溝幅がＹｅ変調素子３４の下端隅部を挿入する上で適切な寸法に形成されるとともに、Ｙｅ変調素子３４の下端隅部の下端面を支持する壁を備えている。また、図６に示すように、右側の支持枠部６５におけるＹｅ変調素子３４の出射側、すなわち前面側には規制突起片５９を差し込む上下方向の係合溝６８が形成されている。
【００４１】
なお、図６において、左右一対の支持枠部６４，６５の前方には、無機偏光板３２ａの取付部３２１、入射偏光板３２ｂの取付部３２２、光学補償板３２ｃの取付部３２３が形成されている。
【００４２】
このように構成された下ライトガイド６１に対し、Ｙｅ変調素子３４の取付は、上ライトガイド６２の切込部６３からＹｅ変調素子３４を下方向に挿入する。このとき、規制突起片５９を係合溝６８に挿入する。これにより、Ｙｅ変調素子３４の向きが正しく矯正される。そして、Ｙｅ変調素子３４の左右の下端隅部を受け溝部６６，６７に差し込むことにより、Ｙｅ変調素子３４の下端部の高さ位置、前後方向の位置及び左右方向の位置が所定位置に保持される。次いで、上方からクッション材７３を介して押さえ部材７を取り付けて、Ｙｅ変調素子３４を上方から下方へ押し付けながら固定する。押さえ部材７にはＹｅ変調素子３４の上端部を挿入する押し溝部７１が形成されている。そして、クッション材７３は、Ｙｅ変調素子３４が取り付けられた状態においては、図７に示すように、Ｙｅ変調素子３４の上端部と押さえ部材７の押し溝部７１内の上面との間に弾力的に圧縮されて介在する。これによりＹｅ変調素子３４が下方に押し付けられるとともに、上端部においてもその前後、左右、上下高さ位置が所定の位置に保持される。なお、押さえ部材７は、左右両端部にねじ挿入孔７２が形成されており、このねじ挿入孔７２から上ライトガイド６２に形成されたねじ座のねじ孔６９（図４参照）に対しねじ（不図示）を締結することにより取り付けられる。
【００４３】
本実施の形態に係る投射型映像表示装置は、以上のように構成されているので次のような効果を奏することができる。
（１）第４の光変調手段であるＹｅ変調素子３４は、複数枚のガラス基板間に液晶を封入した略四辺形の液晶セル５１と、この液晶セル５１を両面から挟持するように組み合わされる入射側保持枠５２と出射側保持枠５３とからなり、これら入射側保持枠５２及び出射側保持枠５３が板金加工により形成されている。この結果、入射側保持枠５２及び出射側保持枠５３を薄板加工品とすることができ、小型軽量化することができ、入射側保持枠５２及び出射側保持枠５３の放熱性能を良好とすることができる。
【００４４】
（２）また、入射側保持枠５２及び出射側保持枠５３は、液晶セル５１の四辺の端面を支持する折り曲げ支持片５４，５５を備えるとともに、液晶セル５１を両面から挟持するように組み合わされる構造であって、外周周辺部において液晶セル５１に接着されている。したがって、入射側保持枠５２及び出射側保持枠５３は、液晶セル５１の基板を介し強固に組み合わされた保持枠として形成されるとともに、板金加工が容易となりコスト軽減を図ることができる。
【００４５】
（３）また、投射型映像表示装置は、従来の３板式投射型映像表示装置に対し緑色光用液晶ライトバルブの入射側に黄色光を変調するＹｅ変調素子３４を付加することにより、黄色光付近の色を利用して映像の明るさを適切に確保するようにしたものである。このために、黄色光を変調するＹｅ変調素子３４については小型化が必要とされてされるが、保持枠を板金製のとすることによりこのニーズに応えることができる。
【００４６】
（４）黄色光を変調する光変調素子からなるＹｅ変調素子３４は、入射側保持枠５２及び出射側保持枠５３の上端部が押し溝部７１に差し込まれるとともに、下端部の隅部が受け溝部６６，６７に差し込まれるが、その他の保持枠部分が広い範囲で冷却空気に直接触れる構造とされている。このため、入射側保持枠５２及び出射側保持枠５３による放熱効果が良好となる。
【００４７】
（５）入射側保持枠５２には側方に突出する冷却片５７，５８が一体的に形成されているので、放熱面積が増大し冷却効果が向上する。また、冷却片５７，５８は出射側保持枠５３ではなく入射側保持枠５２に設けられているので冷却効果が良好になる。また、冷却片５７，５８は、板金加工により一体的に形成されているので、製作コストが安くなる。
【００４８】
（６）出射側保持枠には、Ｙｅ変調素子３４の取付時の入射側と出射側とを規制するための規制突起片５９が形成されるとともに、支持枠部６５にはこの規制突起片５９と係合する係合溝６８が形成されているので、Ｙｅ変調素子３４を入射側と出射側とを間違えて取り付けられることが回避できる。これによりＹｅ変調素子３４を正常に作用させることができるとともに、冷却効果も正常に奏することができる。
【００４９】
（変形例）
本発明は、上記実施の形態において以下のように変更することもできる。
・前記実施の形態においては、Ｙｅ変調素子３４の保持枠が前述のように形成されていたが、他のライトバルブを構成する光変調素子の保持枠を上述のように構成するとともに、上述のように取り付けてもよい。
【００５０】
・前記実施の形態においては、Ｙｅ変調素子３４を緑色光用液晶ライトバルブ３２の入射側に備えた投射型映像表示装置であったが、他の色光分離光学系及び色光合成光学系を備えた投射型映像表示装置における光る変調素子に対し本発明の構造を適用してもよい。
【００５１】
・前記実施の形態においては、冷却片５７，５８は、Ｙｅ変調素子３４における配線基板５６が突出する側の一辺にのみに形成されていたが、他の辺に形成してもよく、或いは複数の辺、例えば上下の辺に形成してもよい。
【００５２】
・前記実施の形態においては、規制突起片５９は、出射側保持枠５３に設けられていたが、これを入射側保持枠５２に形成してもよい。また、前記実施の形態においては、規制突起片５９が図８からわかるように下方に設けられていたが、これを実施の形態における位置より上方に設けるようにしてもよい。また、その形状も前述の鉤型に限定されるものではない。
【図面の簡単な説明】
【００５３】
【図１】本発明の実施の形態に係る投射型映像表示装置の平面図であって、アッパーケースを外すとともに上ライトガイドを外した状態の平面図である。
【図２】同投射型映像表示装置における光学ユニットの模式図である。
【図３】同投射型映像表示装置におけるライトガイドの斜視図である。
【図４】図３においてＹｅ変調素子を取り外した状態図である。
【図５】同投射型映像表示装置における下ライトガイドの斜視図である。
【図６】同投射型映像表示装置におけるＹｅ変調素子の取付部の水平断面図である。
【図７】図６におけるＡ−Ａ断面図である。
【図８】同投射型映像表示装置におけるＹｅ変調素子の説明図であって。（ａ）は全体斜視図であり、（ｂ）は分解斜視図である。
【図９】同Ｙｅ変調素子を構成する出射側保持枠の液晶セル側から見た斜視図である。
【符号の説明】
【００５４】
６…ライトガイド、７…押さえ部材、１０…照明光学系、１１…光源、１３…偏光変換素子、２０…色光分離光学系、３０…色光合成光学系、３１…赤色光用液晶ライトバルブ、３１ｄ，３２ｄ，３３ｄ…光変調素子、３２…緑色光用液晶ライトバルブ、３３…青色光用液晶ライトバルブ、３４…Ｙｅ変調素子、５１…液晶セル、５２…入射側保持枠、５３…出射側保持枠、５４，５５…折り曲げ支持片、５６…（フレキシブル）配線基板、５７，５８…冷却片、５９…規制突起片、６４，６５…支持枠部、６６，６７…受け溝部、６８…係合溝、７１…押し溝部、７３…クッション材。
【図１】
2010049103.tif 000003
【図２】
2010049103.tif 000004
【図３】
2010049103.tif 000005
【図４】
2010049103.tif 000006
【図５】
2010049103.tif 000007
【図６】
2010049103.tif 000008
【図７】
2010049103.tif 000009
【図８】
2010049103.tif 000010
【図９】
2010049103.tif 000011